(57)【要約】【課題】取引が完了するまでの所要時間を短縮すること。【解決手段】購入商品の登録処理を行うＰＯＳ端末装置１と、預り金計数処理を行う自動入出金装置２とを有するＰＯＳ端末システム５において、ＰＯＳ端末装置１が登録処理を行っている間に、自動入出金装置２は顧客からの預り金を計数する預り金計数処理を行う。かつ、ＰＯＳ端末装置１は、自動入出金装置２に対して釣銭の出金を指示し又は表示部に対して追加入金を促す表示を行う。【選択図】    図２
2011238117.tif 000002
【特許請求の範囲】
【請求項１】
購入商品から商品識別コード読取部により商品識別コードを読み取り、読み取った購入商品について購入金額を登録する登録処理を行うとともに購入商品の購入金額を表示部に表示するＰＯＳ端末装置と、顧客から入金された預り金を計数する預り金計数処理を行うとともに計数結果を前記ＰＯＳ端末装置に通知する自動入出金装置とを有するＰＯＳ端末システムにおいて、
前記自動入出金装置は、前記ＰＯＳ端末装置が登録処理を行っている間に、顧客からの前記預り金を計数する預り金計数処理を行うよう指示し、かつ前記預り金計数処理の計数結果を前記ＰＯＳ端末装置に通知するよう指示する制御部を有し、
更に、前記ＰＯＳ端末装置は、前記登録処理の前記購入金額と前記自動入出金装置からの前記預り金計数処理の前記計数結果に基づいて、前記自動入出金装置に対して釣銭の出金を指示し又は前記表示部に対して追加入金を促す表示を指示する制御部を有することを特徴とするＰＯＳ端末システム。
【請求項２】
前記ＰＯＳ端末装置が行う前記登録処理と、前記自動入出金装置が行う前記預り金計数処理とは、同じ顧客に対して同時に行うことを特徴とする請求項１記載のＰＯＳ端末システム。
【請求項３】
更に、次の顧客から事前に入金された預り金を計数する預り金計数処理を行う自動入金装置を有し、
前記ＰＯＳ端末装置が前の顧客に対して前記登録処理を行っている間に、前記自動入金装置が次の顧客に対して事前に前記預り金計数処理を行うことを特徴とする請求項１記載のＰＯＳ端末システム。
【請求項４】
前記ＰＯＳ端末装置は、顧客が操作するセルフレジスタであることを特徴とする請求項３記載のＰＯＳ端末システム。
【請求項５】
前記表示部は、顧客に対して釣銭の出金を表示し又は追加入金を促す表示を行うことを特徴とする請求項１乃至４記載のＰＯＳ端末システム。
【請求項６】
購入商品から商品識別コード読取部により商品識別コードを読み取る登録処理工程と、
前記登録処理工程を行っている間に、顧客から入金された預り金の預り金額を入金計数部で計数する預り金計数処理工程と、
商品識別コード読取部により読み取った商品識別コードから購入金額算出部で前記購入商品の購入金額を算出する購入金額算出工程と、
前記購入商品の前記購入金額と前記預り金の前記預かり金額の差額を演算部で算出する差額算出工程と、
前記購入商品の前記購入金額、前記預り金の前記預かり金額及び前記差額を表示部に表示する表示工程と、
前記預り金額が前記購入金額を超えているときは、出金部に対して釣銭の出金を指示するつり銭出金工程を含むことを特徴とするＰＯＳ端末システムにおける計数処理方法。
【請求項７】
前記登録処理工程と、前記預り金計数処理工程とは、同じ顧客に対して同時に行うことを特徴とする請求項６記載のＰＯＳ端末システムにおける計数処理方法。
【請求項８】
前記登録処理工程を前の顧客に対して行っている間に、次の顧客に対して前記預り金計数処理工程を行うことを特徴とする請求項６記載のＰＯＳ端末システムにおける計数処理方法。
【発明の詳細な説明】
【技術分野】
【０００１】
本発明は、スーパーマーケット等に設置されるＰＯＳ（Point of Sales）端末システムに関するものである。
【背景技術】
【０００２】
従来、ＰＯＳ端末システムは、主に購入商品について購入金額の登録処理を行うＰＯＳ端末装置と、現金が収納されているキャッシュボックスを含む自動入出金装置から構成されているものがある（特開平６−２９５３８９、特許文献１）。ＰＯＳ端末装置は購入商品の登録処理後、自動入出金装置に対して、顧客が支払うべき購入商品の購入金額を指示する手段を備え、自動入出金装置には、顧客からの入金を自動で受け入れる自動入金手段と、入金された金額と購入金額の差額をつり銭として出金する自動出金手段を備えている。
【０００３】
ここで特許文献１において、ＰＯＳ端末装置と自動入出金装置とが分割された分割型ＰＯＳ端末装置についての動作によると、まずレジ係がＰＯＳ端末装置を使用して、全ての購入商品についての購入金額を入力後、購入金額が確定する。ＰＯＳ端末装置は購入金額を表示するとともに、購入金額を自動入出金装置に指示する。次に、自動入出金装置がこの指示を受けると、顧客は購入金額に応じて自動入出金装置に預り金の入金を行う。入金が完了すると、自動入出金装置は、入金された金種毎に入金金額を算出するとともに、キャッシュボックスに金種ごとに格納する。最後に、自動入出金装置は、入金金額が購入金額を超えているかを判定し、入金金額が購入金額未満であると、ＰＯＳ端末装置に入金不足を通知する。そして、入金金額が購入金額を超えるときは、つり銭の出金を行うこととなる。
【先行技術文献】
【特許文献】
【０００４】
【特許文献１】特開平６−２９５３８９号公報
【発明の概要】
【発明が解決しようとする課題】
【０００５】
しかしながら、従来のＰＯＳ端末システムでは、レジ係が、顧客の買い物かごに入っている購入商品の金額等をバーコードリーダにより一つひとつＰＯＳ端末装置に登録している。その間、顧客はレジ係が購入商品の全てを登録し、購入金額が表示されるまで、何もせずに待っており、購入金額表示後に購入金額に応じた預り金の入金を行う。そのため、レジ係が購入商品を登録し、顧客が代金を支払ってレシートを受け取ることにより、取引が完了するまでに長時間を要するという問題があった。
【０００６】
本発明が解決しようとする課題は、レジ係が購入商品を登録し、顧客が代金を支払ってレシートを受け取ることにより、取引が完了するまでの所要時間を短縮することができるＰＯＳ端末システムを提供することである。
【課題を解決するための手段】
【０００７】
上記課題を解決するために本発明は、購入商品から商品識別コード読取部により商品識別コードを読み取り、読み取った購入商品について購入金額を登録する登録処理を行うとともに購入商品の購入金額を表示部に表示するＰＯＳ端末装置と、顧客から入金された預り金を計数する預り金計数処理を行うとともに計数結果を前記ＰＯＳ端末装置に通知する自動入出金装置とを有するＰＯＳ端末システムにおいて、前記自動入出金装置は、前記ＰＯＳ端末装置が登録処理を行っている間に、顧客からの前記預り金を計数する預り金計数処理を行うよう指示し、かつ前記預り金計数処理の計数結果を前記ＰＯＳ端末装置に通知するよう指示する制御部を有し、更に、前記ＰＯＳ端末装置は、前記登録処理の前記購入金額と前記自動入出金装置からの前記預り金計数処理の前記計数結果に基づいて、前記自動入出金装置に対して釣銭の出金を指示し又は前記表示部に対して追加入金を促す表示を指示する制御部を有することを特徴とするＰＯＳ端末システムである。
【発明の効果】
【０００８】
上記構成を有する本発明によれば、自動入出金装置は、ＰＯＳ端末装置が登録処理を行っている間に、顧客からの前記預り金を計数する預り金計数処理を可能とする入金計数部を設けたので、ＰＯＳ端末装置が行う登録処理と、自動入出金装置が行う預り金計数処理を同時に行うことができ、顧客が買い物を終了するまでの所要時間を短縮することができるＰＯＳ端末システムを提供することが可能になる。
【図面の簡単な説明】
【０００９】
【図１】第１の実施の形態に関するＰＯＳシステムの構成を示すシステム構成図である。
【図２】第１の実施の形態に関するＰＯＳ端末システムを構成するＰＯＳ端末装置と自動入出金装置の外観図である。
【図３】第１の実施の形態に関するＰＯＳ端末装置の構成を示すブロック図である。
【図４】第１の実施の形態に関する自動入出金装置の構成を示すブロック図である。
【図５】第１の実施の形態に関する顧客、レジ係、ＰＯＳ端末装置及び自動入出金装置の処理手順の概要を示すシーケンス図である。
【図６】第１の実施の形態に関するレジ係用表示部２０及び顧客用表示部３０の表示を示す説明図である。
【図７】第１の実施の形態に関するＰＯＳ端末装置の動作を示すフローチャートである。
【図８】第２の実施の形態に関するＰＯＳシステムの構成を示すシステム構成図である。
【図９】第２の実施の形態に関するＰＯＳ端末システムを構成する自動入金装置の外観図である。
【図１０】第２の実施の形態に関する自動入出金装置の構成を示すブロック図である。
【図１１】第２の実施の形態に関する顧客、レジ係、ＰＯＳ端末装置、自動入出金装置及び自動入金装置の処理手順の概要を示すシーケンス図である。
【図１２】第２の実施の形態に関する自動入金装置の次顧客用表示部の表示を示す説明図である。
【図１３】第２の実施の形態に関するＰＯＳ端末装置の動作を示すフローチャートである。
【図１４】第３の実施の形態に関するセルフレジ用ＰＯＳ端末装置の外観図である。
【発明を実施するための形態】
【００１０】
＜第１の実施の形態＞
以下、本発明の第１の実施の形態について説明する。図１は第１の実施の形態に関するＰＯＳシステムの構成を示すシステム構成図である。ＰＯＳシステムは、スーパーマーケット等に設置され顧客が購入する購入商品の登録や精算等を行う。ＰＯＳシステムは、レジ係が操作するＰＯＳ端末装置１と、顧客が入金操作する自動入出金装置２と、商品コード等が格納されたＰＬＵ（Price look up）ファイル等を記憶したファイルサーバ３と、システム全体を制御するシステムコントローラ４とが、データ通信ライン１１、１２を介して接続されている。ＰＯＳ端末装置１により取引が行われたときは、取引情報を含む取引結果がシステムコントローラ４に送信される。システムコントローラ４はこの取引結果をファイルサーバ３に格納する。なお、ＰＯＳ端末装置１と自動入出金装置２は次に説明するＰＯＳ端末システム５を構成する。
【００１１】
図２は、第１の実施の形態に関するＰＯＳ端末システム５を構成するＰＯＳ端末装置１と自動入出金装置２の外観図である。ＰＯＳ端末装置１は、購入商品から商品識別コードを読み取り、読み取った購入商品について購入金額を登録する登録処理を行うとともに購入商品の購入金額や不足金額を表示し、そして、自動入出金装置２に対してつり銭の出金を指示する。このためＰＯＳ端末装置１は、購入商品の登録等の情報の入力及び自動入出金装置２に対する指示を行うキーボード１０と、登録された購入商品の購入代金である購入金額等を表示するレジ係用表示部２０と、同様の内容を顧客に向けて表示する顧客用表示部３０と、レシートを発行するプリンタ４０と、購入商品のバーコード等の商品識別コードを読み取る商品識別コード読取部としてのバーコードリーダ５０を有する。
【００１２】
自動入出金装置２は、ＰＯＳ端末装置１とＲＳ２３２Ｃからなるデータ通信ライン１２で接続され、ＰＯＳ端末装置１からの指示で顧客から入金された預り金を計数する預り金計数処理及びつり銭の出金処理を行う。そのため自動入出金装置２は、入金紙幣の取り込み及び計数を行う紙幣入金部２１と、つり銭としての出金紙幣の計数及び放出を行う紙幣出金部２２と、入金硬貨の取り込み及び計数を行う硬貨入金部２３と、つり銭としての出金硬貨の計数及び放出を行う硬貨出金部２４と、入金紙幣及び硬貨を格納するキャッシュボックス２５を有する。
【００１３】
図３は第１の実施の形態に関するＰＯＳ端末装置１の構成を示すブロック図である。ＰＯＳ端末装置１のキーボード１０は、購入商品の登録処理において、購入商品の個数、値段等の数値データを置数するための置数キー、販売商品のコードを入力するためのコードキー、購入合計金額の出力を指示する合計キー等の図示しない各種キーが配設される。キーボード１０で入力された情報はＰＯＳ制御部６０へ送られる。
【００１４】
レジ係用表示部２０はＰＯＳ制御部６０の指示に従って、購入商品毎に読み取った購入金額と、全ての購入商品の合計購入金額と、顧客が自動入出金装置２に入金した預り金額と、不足金額又はつり銭金額が表示される。レジ係用表示部２０はレジ係に向かって設けられ、レジ係がバーコードリーダ５０によって購入商品の商品識別コードを読み取りながら表示された購入金額を確認することができる。顧客用表示部３０はレジ係用表示部２０と同じ内容を表示する。顧客用表示部３０は顧客に向かって設けられ、顧客が表示内容を確認しながら自動入出金装置２に入金することができる。
【００１５】
プリンタ４０はＰＯＳ制御部６０の指示に従って、レシートを印刷する。印刷されたレシートはレジ係から顧客に渡される。また、プリンタ４０は、自動入出金装置２による現金の出入り状況を集計した現金集計レポートを印刷することができる。バーコードリーダ５０は購入商品に付されたバーコードを光学的に読み取る。バーコードリーダ５０は図示するようなハンドスキャナータイプでも、ＰＯＳ端末装置１に固定された固定スキャナータイプでもよい。バーコードリーダ５０によって読み取られた商品識別コードはＰＯＳ制御部６０に送られる。
【００１６】
ＰＯＳ制御部６０は、後述するように記憶部６６から商品の単価を読み出し、図示しない購入金額算出部で購入商品の購入金額を算出し、図示しない比較部で受信した預り金額と購入金額を比較し、更に、図示しない演算部で差額を算出する。更に、ＰＯＳ制御部６０は前記各部と接続され、前記各部を制御する。そのためＰＯＳ制御部６０は、ＣＰＵ６１と、ＲＡＭ６２と、ＲＯＭ６３と、Ｉ／Ｏポート６４及び通信Ｉ／Ｆ６５を有する。ＣＰＵ６１は、プログラムに従って計算や記憶を行い、制御信号を出力するなど各種処理を行う。
【００１７】
ＲＡＭ６２は、データ書換え自在のメモリであり、ＣＰＵ６１の制御に必要な一時記憶装置として機能する。ＲＯＭ６３は、ＣＰＵ６１により実行される制御プログラム等の固定データを記憶する。Ｉ／Ｏポート６４は、ＣＰＵ６１からＰＯＳ端末装置１内の各部へ情報を送出する出力ポート及びＰＯＳ端末装置１内の各部からＣＰＵ６１へ情報を取り入れる入力ポートからなる。通信Ｉ／Ｆ６５は、自動入出金装置２、ファイルサーバ３及びシステムコントローラ４との間でデータ通信を行うために機能する。
【００１８】
記憶部６６には、商品の単価が記憶されており、更に、後述する購入商品の購入金額及び顧客により入金された預り金額、更に自動入出金装置２により出金されるつり銭としての金額情報が、ＰＯＳ制御部６０の指示により、取引結果として記憶される。前述のようにＰＯＳ端末装置１により取引が行われたときは、記憶部６６に記憶された取引結果は通信Ｉ／Ｆ６５を介してシステムコントローラ４へ送信される。
【００１９】
図４は第１の実施の形態に関する自動入出金装置２の構成を示すブロック図である。自動入出金装置２の入金計数部としての紙幣入金部２１は入出金制御部７０の指示により、顧客によって一枚毎又は複数枚一括して投入された入金紙幣を取り込み、真偽鑑別及び金種鑑別を行い、鑑別した紙幣を計数する。計数した紙幣は、キャッシュボックス２５に搬送され、顧客から預かった預り金として格納する。預り金額の情報は、入出金制御部７０へ送られ、入出金制御部７０からＰＯＳ端末装置１へ送信される。紙幣出金部２２は、入出金制御部７０がＰＯＳ端末装置１からつり銭の出金指示を受信すると、入出金制御部７０の指示により、キャッシュボックス２５から紙幣を搬送し、搬送した紙幣を計数し、計数した紙幣を放出する。
【００２０】
入金計数部としての硬貨入金部２３は、入出金制御部７０の指示により、顧客によって一括して投入された入金硬貨を取り込み、真偽鑑別及び金種鑑別を行い、鑑別した硬貨を計数する。計数した硬貨は、キャッシュボックス２５に搬送され、顧客から預かった預り金として格納する。預り金額の情報は、入出金制御部７０へ送られ、入出金制御部７０からＰＯＳ端末装置１へ送信される。硬貨出金部２４は、入出金制御部７０がＰＯＳ端末装置１からつり銭の出金指示を受信すると、入出金制御部７０の指示により、キャッシュボックス２５から硬貨を搬送し、搬送した硬貨を計数し、計数した硬貨を放出する。
【００２１】
入出金制御部７０は前記各部と接続され、前記各部を制御する。そのため入出金制御部７０は、ＣＰＵ７１と、ＲＡＭ７２と、ＲＯＭ７３と、Ｉ／Ｏポート７４及び通信Ｉ／Ｆ７５を有する。ＣＰＵ７１は、プログラムに従って計算や記憶を行い、制御信号を出力するなど各種処理を行う。
【００２２】
ＲＡＭ７２は、データ書換え自在のメモリであり、ＣＰＵ７１の制御に必要な一時記憶装置として機能する。ＲＯＭ７３は、ＣＰＵ７１により実行される制御プログラム等の固定データを記憶する。Ｉ／Ｏポート７４は、ＣＰＵ７１から自動入出金装置２内の各部へ情報を送出する出力ポート及び自動入出金装置２内の各部からＣＰＵ７１へ情報を取り入れる入力ポートからなる。通信Ｉ／Ｆ７５は、ＰＯＳ端末装置１との間でデータ通信を行うために機能する。
【００２３】
図５は、第１の実施の形態に関する顧客、レジ係、ＰＯＳ端末装置１及び自動入出金装置２の処理手順の概要を示すシーケンス図である。
Ｓ１０１：顧客が購入商品をＰＯＳ端末装置１が設置されているレジに持ってくる。
Ｓ１０２：レジ係は、バーコードリーダ５０を操作し、顧客の持参した購入商品のバーコードを読み取って、商品識別コードをＰＯＳ端末装置１に登録する。
【００２４】
Ｓ１０３：顧客は、レジ係が購入商品のバーコードを読み取っている間に、合計の購入金額を予想して、自動入出金装置２の紙幣入金部２１及び硬貨入金部２３へ預り金としての現金を入金する。
Ｓ１０４：ＰＯＳ端末装置１はレジ係による購入商品が登録される度に、バーコードリーダ５０で読み取った購入金額と顧客によって入金された預り金額から差額を計算する。そして、リアルタイムでレジ係用表示部２０及び顧客用表示部３０に、購入金額及び差額等を表示し、購入商品の登録処理を行う。なお、このステップの詳細は後述する。
【００２５】
Ｓ１０５：自動入出金装置２の入金制御部７０は、紙幣入金部２１及び硬貨入金部２３に対し、顧客により入金された預り金を金種毎に鑑別し、預り金合計を算出するよう指示するとともにキャッシュボックス２５に対し金種毎に格納するよう指示する。即ち、ステップ１０４において、ＰＯＳ端末装置１が購入商品の登録処理を行っている間、自動入出金装置２は同じ顧客に対して預り金計数処理を同時に行う。
【００２６】
Ｓ１０６：その後、自動入出金装置２の入金制御部７０は、入金された預り金の合計金額を通信Ｉ／Ｆ７５を介してリアルタイムでＰＯＳ端末装置１に通知する。
Ｓ１０７：顧客は、自動入出金装置２の紙幣入金部２１及び硬貨入金部２３へ預り金としての現金の入金を完了する。
【００２７】
ここで、前述のＰＯＳ端末装置１のレジ係用表示部２０及び顧客用表示部３０に、購入金額及び差額等を表示する例を説明する。図６は第１の実施の形態に関するレジ係用表示部２０及び顧客用表示部３０の表示を示す説明図である。同図（ａ）は預り金額が購入金額より少ない場合を示し、同図（ｂ）は預り金額が購入金額を超えている場合を示す。
【００２８】
図６（ａ）において、バーコードリーダ５０で読み取った購入商品が野菜であり、その購入金額が２００円であり、そして合計の購入金額は現在のところ３５００円であることを示す。更に、顧客により入金した預り金額は現在のところ２０００円であり、不足金額が１５００円であることを示す。顧客は顧客用表示部３０に表示されたこの内容を確認し、不足額に相当する現金を紙幣入金部２１及び硬貨入金部２３に入金することができる。なお、不足金額の表示と金額を赤字で表示すれば。顧客にとって分かり易い。
【００２９】
図６（ｂ）において、バーコードリーダ５０で読み取った購入商品、その購入金額及び合計の購入金額は同様であるが、顧客により入金した預り金額は現在のところ４０００円であり、つり銭金額が５００円であることを示す。
【００３０】
図５に戻り、Ｓ１０８：レジ係は当該顧客の購入商品全てについて登録を完了させる。Ｓ１０９：レジ係は、レジ係用表示部２０より、預り金額と購入金額との差額を確認する。Ｓ１２０：ステップ１０９で預り金額が購入金額より少ない場合（図６（ａ））、レジ係は顧客が不足金額を自動入出金装置２に入金するのを待つ。或いは、レジ係は顧客に対し不足金額を自動入出金装置２に入金するように促してもよい。
【００３１】
Ｓ１２１：顧客は不足金額に相当する現金を自動入出金装置２に入金する。
Ｓ１２２：顧客は、自動入出金装置２の紙幣入金部２１及び硬貨入金部２３へ預り金の不足金額の入金が完了するまで行う。
【００３２】
Ｓ１１０：ステップ１０９で預り金額が購入金額を超えている場合（図６（ｂ））、レジ係は、購入商品の登録及び預り金の入金が完了したことをキーボード１０に入力する。
Ｓ１１１：ＰＯＳ端末装置１のＰＯＳ制御部６０は、預り金額と購入金額を比較する。預り金額が購入金額を超えている場合はステップ１１２へ移行し、預り金額が購入金額未満の場合はステップ１２１へ移行する。
【００３３】
Ｓ１１２：預り金額が購入金額を超えている場合、ＰＯＳ端末装置１のＰＯＳ制御部６０は預り金額と購入金額の差額を自動入出金装置２に対し、データ通信ライン１１を介して、つり銭としての出金の指示を行う。
Ｓ１１３：自動入出金装置２の入出金制御部７０は、紙幣出金部２２及び硬貨出金部２４に対し指示されたつり銭を出金するよう指示する。
【００３４】
Ｓ１１４：自動入出金装置２の入出金制御部７０は指示されたつり銭の出金が完了すると、出金が完了した旨とともにつり銭の金種及び金額を通信Ｉ／Ｆ７５を介してＰＯＳ端末装置１へ通知する。
Ｓ１１５：ＰＯＳ端末装置１のＰＯＳ制御部６０は、プリンタ４０に対し取引内容を印字したレシートを印刷するよう指示する。
【００３５】
Ｓ１１６：顧客は自動入出金装置２から出金されたつり銭を紙幣出金部２２又は硬貨出金部２４から受け取る。
Ｓ１１７：レジ係は印刷されたレシートと購入商品を顧客に渡す。
Ｓ１１８：顧客はレシートと購入商品をレジ係から受け取ることにより取引が完了する。
【００３６】
以上の処理手順において、次にＰＯＳ端末装置１の動作について詳細に説明する。図７は第１の実施の形態に関するＰＯＳ端末装置１の動作を示すフローチャートである。
Ｓ２０１：レジ係が購入商品の登録のために、バーコードリーダ５０を操作すると、バーコードリーダ５０が読み取った商品識別コードはＰＯＳ制御部６０へ送信される。ＰＯＳ制御部６０のＩ／Ｏポート６４がこれを受信すると、ＰＯＳ制御部６０は商品登録処理の開始を受け付ける。ＰＯＳ制御部６０はまず記憶部６６から購入商品の単価を読み取り、図示しない購入金額算出部に対し、合計の購入金額を算出するよう指示する。更にＰＯＳ制御部６０は記憶部６６に対し受信した商品識別コード、購入金額及び合計の購入金額を記憶するよう指示する。
【００３７】
Ｓ２０２：一方、ＰＯＳ端末装置１が登録処理を行っている間、ＰＯＳ制御部６０は、通信Ｉ／Ｆ６５を介して自動入出金装置２に対して顧客によって入金された預り金を計数するよう指示する。ＰＯＳ制御部６０の通信Ｉ／Ｆ６５が、自動入出金装置２から顧客によって入金された預り金額を受信すると、ＰＯＳ制御部６０は記憶部６６に対し受信した預り金額を記憶するよう指示する。
【００３８】
Ｓ２０３：ＰＯＳ制御部６０は、図示しない演算部に対し、記憶部６６に記憶した合計購入金額と預り金額の差額を演算するよう指示する。
Ｓ２０４：ＰＯＳ制御部６０は、Ｉ／Ｏポート６４を介してレジ係用表示部２０及び顧客用表示部３０に対し、この合計購入金額と預り金額及び差額等を表示するよう指示する。即ち、預り金額が合計購入金額未満の場合、顧客に対して不足金額を表示して追加入金を促すことになる。
【００３９】
Ｓ２０５：ＰＯＳ制御部６０は、購入商品について全て登録完了か判断する。即ち、購入商品の登録及び預り金の入金の完了をレジ係がキーボード１０へ入力したことを受信することによりこれを判断する。購入商品について全ては登録完了でない場合、ステップ２０１へ戻る。
Ｓ２０６：購入商品について全て登録完了の場合、ＰＯＳ制御部６０は、顧客が自動入出金装置２へ預り金の入金を完了したか判断する（ステップ２０１からステップ２０６までが前記ステップ１０４に相当する）。
【００４０】
Ｓ２０７（Ｓ１１１）：ＰＯＳ制御部６０は、図示しない比較部に対し、顧客からの預り金額と合計購入金額を比較するよう指示する。預り金額が合計購入金額未満の場合、ＰＯＳ制御部６０はステップ２０４へ移行する。
Ｓ２０８（Ｓ１１２）：預り金額が合計購入金額を超えている場合、ＰＯＳ制御部６０は前記ステップ２０３で演算した差額について、自動入出金装置２に対し、つり銭として出金を行うよう指示する。
【００４１】
Ｓ２０９（Ｓ１１５）：ＰＯＳ制御部６０は自動入出金装置２からつり銭の出金の完了通知を受けると、プリンタ４０に対し、レシートの発行を指示する。これにより取引が完了する。
【００４２】
以上、第１の実施の形態によれば、ＰＯＳ端末装置１が行う購入商品の登録処理と、自動入出金装置２が行う預り金計数処理とを、同じ顧客に対して同時に行うことにしたので、顧客が買い物を終了するまでの所要時間を短縮することができる。
【００４３】
＜第２の実施の形態＞
次に第２の実施の形態について説明する。第２の実施の形態が第１の実施の形態と異なる点は、精算待ちをして並んでいる顧客がいる場合、次に精算を行う顧客用に自動入金装置３００を設けたことである。即ち、第１の実施の形態では、購入商品の登録処理と預り金計数処理とを、同じ顧客に対して同時に行うのに対し、第２の実施の形態では、前の顧客に対して購入商品の登録処理を行っている間に、次の顧客に対して預り金計数処理を行うものである。
【００４４】
図８は第２の実施の形態に関するＰＯＳシステムの構成を示すシステム構成図である。ＰＯＳシステムは、レジ係が操作するＰＯＳ端末装置１００と、前の顧客が入金操作する自動入出金装置２００、次の顧客が入金操作する自動入金装置３００と、商品コード等が格納されたＰＬＵファイル等を記憶したファイルサーバ５００と、システム全体を制御するシステムコントローラ４００とが、データ通信ライン１１、１２を介して接続されている。ＰＯＳ端末装置１００により取引が行われたときは、取引情報を含む取引結果がシステムコントローラ４００に送信される。システムコントローラ４００はこの取引結果をファイルサーバ５００に格納する。
【００４５】
なお、ＰＯＳ端末装置１００、自動入出金装置２００及び自動入金装置３００はＰＯＳ端末システムを構成する。また、ＰＯＳ端末装置１００及び自動入出金装置２００は前記第１の実施の形態に関するＰＯＳ端末装置１及び自動入出金装置２と同じ構成である。
【００４６】
図９は、第２の実施の形態に関するＰＯＳ端末システムを構成する自動入金装置３００の外観図である。自動入金装置３００は、レジ係と前の顧客がＰＯＳ端末装置１００と自動入出金装置２００によって登録処理を行っている間に、次の顧客が当該自動入金装置３００によって、預り金計数処理を行うために設けられる。ＰＯＳ端末装置１００とＲＳ２３２Ｃからなるデータ通信ライン１２で接続され、ＰＯＳ端末装置１００からの指示により次の顧客から入金された預り金を計数する預り金計数処理を行う。そのため自動入金装置３００は、自動入出金装置２００と異なり、出金機能は有さなくてよい。即ち、自動入金装置３００は、入金紙幣の取り込み及び計数を行う紙幣入金部３１と、入金硬貨の取り込み及び計数を行う硬貨入金部３２と、入金紙幣及び硬貨を格納するキャッシュボックス３３と、次の顧客への表示を行う次顧客用表示部３４を有する。
【００４７】
図１０は第２の実施の形態に関する自動入金装置３００の構成を示すブロック図である。自動入金装置３００の入金計数部としての紙幣入金部３１は入金制御部８０の指示により、顧客によって一枚毎又は複数枚一括して投入された入金紙幣を取り込み、真偽鑑別及び金種鑑別を行い、鑑別した紙幣を計数する。計数した紙幣は、キャッシュボックス３３に搬送され、顧客から預かった預り金として格納する。預り金額の情報は、入金制御部８０の制御により、ＰＯＳ端末装置１００へ送信される。入金計数部としての硬貨入金部３２は、入金制御部８０の指示により、顧客によって一括して投入された入金硬貨を取り込み、真偽鑑別及び金種鑑別を行い、鑑別した硬貨を計数する。計数した硬貨は、キャッシュボックス３３に搬送され、顧客から預かった預り金として格納する。預り金額の情報は、入金制御部８０の制御により、ＰＯＳ端末装置１００へ送信される。
【００４８】
次顧客用表示部３４は、入金制御部８０の指示に従って、購入商品の登録処理を待っている次の顧客に対し、事前に預り金の入金を促す表示を行う。そして、次の顧客による入金の都度、入金制御部８０の指示に従って、入金額が表示される。
【００４９】
入金制御部８０は前記各部と接続され、前記各部を制御する。そのため入金制御部８０は、ＣＰＵ８１と、ＲＡＭ８２と、ＲＯＭ８３と、Ｉ／Ｏポート８４及び通信Ｉ／Ｆ８５を有する。ＣＰＵ８１は、プログラムに従って計算や記憶を行い、制御信号を出力するなど各種処理を行う。
【００５０】
ＲＡＭ８２は、データ書換え自在のメモリであり、ＣＰＵ８１の制御に必要な一時記憶装置として機能する。ＲＯＭ８３は、ＣＰＵ８１により実行される制御プログラム等の固定データを記憶する。Ｉ／Ｏポート８４は、ＣＰＵ８１から自動入金装置５００内の各部へ情報を送出する出力ポート及び自動入金装置５００内の各部からＣＰＵ８１へ情報を取り入れる入力ポートからなる。通信Ｉ／Ｆ８５は、ＰＯＳ端末装置１００との間でデータ通信を行うために機能する。
【００５１】
図１１は、第２の実施の形態に関する顧客、レジ係、ＰＯＳ端末装置１００、自動入出金装置２００及び自動入金装置３００の処理手順の概要を示すシーケンス図である。
Ｓ３０１：前の顧客がＰＯＳ端末装置１００によって、登録処理を行っている間に、次の顧客が自分の購入商品の購入金額を予想して、自動入金装置３００に対し預り金を入金する。
【００５２】
Ｓ３０２：自動入金装置３００の入金制御部８０は、次顧客用表示部３４に対し、次の顧客へ事前の預り金の入金を促す表示を行うよう指示する。図１２は第２の実施の形態に関する自動入金装置３００の次顧客用表示部３４の表示を示す説明図である。次顧客用表示部３４には、次の顧客に対して、事前に預り金の入金を促す表示と、預り金額が表示される。入金制御部８０は、紙幣入金部３１及び硬貨入金部３２に対して、次の顧客により入金された預り金を金種毎に鑑別し、預り金合計を算出するよう指示するとともにキャッシュボックス３３に対し金種毎に格納するよう指示する。
【００５３】
Ｓ３０３：自動入金装置３００の入金制御部８０は、通信Ｉ／Ｆ８５を介して入金された預り金の合計金額をＰＯＳ端末装置１００に通知する。
Ｓ３０４：ＰＯＳ端末装置１００のＰＯＳ制御部６０は、自動入金装置３００から通知を受けた預り金の合計金額を通信Ｉ／Ｆ６５を介して受信すると、記憶部６６に対し次の顧客が入金した預り金額として記憶するよう指示する。
【００５４】
Ｓ３０５：前の顧客について取引が完了すると、次の顧客が購入商品をＰＯＳ端末装置１００が設置されているレジに持ってくる。
Ｓ３０６：レジ係は、バーコードリーダ５０を操作し、顧客の持参した購入商品のバーコードを読み取って、商品識別コードをＰＯＳ端末装置１００に登録する。
【００５５】
Ｓ３０７：レジ係は当該顧客の購入商品全てについて登録を完了させる。
Ｓ３０８：ＰＯＳ端末装置１００のＰＯＳ制御部６０はレジ係による購入商品が登録される度に、バーコードリーダ５０で読み取った購入金額と、顧客によって自動入金装置３００に事前に入金された預り金額から差額を算出する。そしてリアルタイムでレジ係用表示部２０及び顧客用表示部３０に、購入金額及び差額等を表示し、購入商品の登録処理を行う。なお、このステップの詳細は後述する。
【００５６】
Ｓ３０９：レジ係はレジ係用表示部２０より預り金額と購入金額との差額を確認する。
Ｓ３１０：ステップ３０９で預り金額が購入金額を超えている場合、レジ係は、購入商品の登録及び預り金の入金が完了したことをキーボード１０に入力する。
【００５７】
Ｓ３１１：ステップ３０９で預り金額が購入金額未満であった場合、レジ係は顧客が不足金額を自動入出金装置２００に入金するのを待つ。或いは、レジ係は顧客に対し不足金額を自動入出金装置２００に入金するように促してもよい。
Ｓ３１２：顧客は、レジ係から督促された不足金額を、自動入出金装置２００の紙幣入金部２１及び硬貨入金部２３へ預り金としての現金を入金する。
【００５８】
Ｓ３１３：顧客は、自動入出金装置２００の紙幣入金部２１及び硬貨入金部２３へ預り金としての現金の入金を完了する。
Ｓ３１４：自動入出金装置２００の入出金制御部７０は、紙幣入金部２１及び硬貨入金部２３に対し、顧客により入金された預り金を金種毎に鑑別し、預り金合計を算出するよう指示するとともにキャッシュボックス２５に対し金種毎に格納するよう指示する。
【００５９】
Ｓ３１５：その後、自動入出金装置２００の入出金制御部７０は、入金された預り金の合計金額を通信Ｉ／Ｆ７５を介してリアルタイムでＰＯＳ端末装置１００に通知する。
Ｓ３１６：ＰＯＳ端末装置１００のＰＯＳ制御部６０は購入金額と、顧客によって自動入金装置３００に事前に入金された預り金額と自動入出金装置２００に後から入金された不足金額の合計の預り金額から差額を計算する。そして、リアルタイムでレジ係用表示部２０及び顧客用表示部３０に対し、購入金額及び差額等を表示するよう指示し、購入商品の登録処理を行う。なお、このステップの詳細も後述する。
【００６０】
Ｓ３１７：ステップ３１０において、レジ係から購入商品の登録処理及び預り金の入金が完了したことを示す入力があると、ＰＯＳ端末装置１００のＰＯＳ制御部６０は、預り金と購入金額を比較する。預り金額が購入金額を超えている場合、ステップ３１８へ移行し、預り金額が購入金額未満の場合、ステップ３１２へ移行する。
Ｓ３１８：預り金額が購入金額を超えている場合、ＰＯＳ端末装置１００のＰＯＳ制御部６０は通信Ｉ／Ｆ６５を介して自動入出金装置２００に対し、預り金額と購入金額の差額であるつり銭金額出金するよう指示する。
【００６１】
Ｓ３１９：自動入出金装置２００の入出金制御部７０は、紙幣出金部２２及び硬貨出金部２４に対し、指示されたつり銭を出金するよう指示する。
Ｓ３２０：自動入出金装置２００の入出金制御部７０は指示されたつり銭の出金が完了すると、出金が完了した旨とともにつり銭の金種及び金額をＰＯＳ端末装置１００へ通知する。
【００６２】
Ｓ３２１：ＰＯＳ端末装置１００のＰＯＳ制御部６０は、プリンタ４０に対し取引内容を印字したレシートを印刷するよう指示する。
Ｓ３２２：顧客は自動入出金装置２００から出金されたつり銭を紙幣出金部２２又は硬貨出金部２４から受け取る。
【００６３】
Ｓ３２３：レジ係は印刷されたレシートと購入商品を顧客に渡す。
Ｓ３２４：顧客はレシートと購入商品をレジ係から受け取ることにより取引が完了する。
【００６４】
以上の処理手順において、次にＰＯＳ端末装置１００の動作について詳細に説明する。図１３は第２の実施の形態に関するＰＯＳ端末装置１００の動作を示すフローチャートである。
Ｓ４０１（Ｓ３０４）：レジ係が前の顧客に対して登録処理を行っている間に、ＰＯＳ制御部６０は、通信Ｉ／Ｆ６５を介して自動入出金装置２００に対して次の顧客によって事前に入金された預り金を計数するよう指示する。ＰＯＳ制御部６０の通信Ｉ／Ｆ６５が、自動入出金装置２００から次の顧客によって事前に入金された預り金額を受信すると、ＰＯＳ制御部６０は記憶部６６に対し受信した預り金額を記憶するよう指示する。
【００６５】
Ｓ４０２：前の顧客がレシートと購入商品をレジ係から受け取り、前の顧客の取引が完了する。
Ｓ４０３：レジ係が購入商品の登録のために、バーコードリーダ５０を操作すると、バーコードリーダ５０が読み取った商品識別コードがＰＯＳ制御部６０へ送信される。ＰＯＳ制御部６０のＩ／Ｏポート６４がこれを受信すると、ＰＯＳ制御部６０は商品登録処理の開始を受け付ける。ＰＯＳ制御部６０はまず記憶部６６から購入商品の単価を読み取り、図示しない購入金額算出部に対し、合計の購入金額を算出するよう指示する。更に、ＰＯＳ制御部６０は記憶部６６に対し受信した商品識別コード、購入金額及び合計の購入金額を記憶するよう指示する。
【００６６】
Ｓ４０４：ＰＯＳ制御部６０は、図示しない演算部に対し、記憶部６６に記憶した合計購入金額と事前入金の預り金額の差額を演算するよう指示する。
Ｓ４０５：ＰＯＳ制御部６０は、Ｉ／Ｏポート６４を介してレジ係用表示部２０及び顧客用表示部３０に対し、この合計購入金額と事前入金の預り金額及び差額等を表示するよう指示する。事前入金の預り金額が購入金額より少ない場合は図６（ａ）に示すように不足金額とともに表示する。また、事前入金の預り金額が購入金額を超えている場合は図６（ｂ）に示すようにつり銭金額とともに表示する。
【００６７】
Ｓ４０６：ＰＯＳ制御部６０は、レジ係のキーボード１０の操作による購入商品について全て登録完了した旨の入力があるか判断する。購入商品について全ては登録完了でない場合、ステップ２０１へ戻る。（ステップ４０２からステップ４０６までが前記ステップ３０８に相当する）
Ｓ４０７（Ｓ３１７）：ステップ４０６において、購入商品について全て登録完了の場合、ＰＯＳ制御部６０は、図示しない比較部に対し、事前入金の預り金額と購入金額を比較するよう指示する。
【００６８】
Ｓ４０８（Ｓ３１６）：ステップ４０７において、預り金額が購入金額未満の場合、ＰＯＳ制御部６０はステップ４０３で算出した差額を基に、リアルタイムでレジ係用表示部２０及び顧客用表示部３０に対し、購入金額及び不足金額等を表示するよう指示する。
【００６９】
Ｓ４０９（Ｓ３１８）：ステップ３１７において、預り金額が購入金額を超えている場合、ＰＯＳ制御部６０は通信Ｉ／Ｆ６５を介して自動入出金装置２００に対し、預り金額と購入金額の差額であるつり銭金額を出金するよう指示する。
Ｓ４１０（Ｓ３２１）：ＰＯＳ端末装置１００のＰＯＳ制御部６０は、プリンタ４０に対し取引内容を印字したレシートを印刷するよう指示する。
【００７０】
以上、第２の実施の形態によれば、次の顧客から事前に入金された預り金を計数する預り金計数処理を行う自動入金装置３００を有し、ＰＯＳ端末装置１００が前の顧客に対して前記登録処理を行っている間に、自動入金装置３００が次の顧客に対して事前に預り金計数処理を行うようにしたので、第１の実施の形態に比較し、顧客が買い物を終了するまでの所要時間を更に短縮することができる。
【００７１】
＜第３の実施の形態＞
次に第３の実施の形態について説明する。第３の実施の形態は、前記第２の実施の形態におけるＰＯＳ端末装置１００が、顧客が操作するセルフレジスタである場合である。図１４は第３の実施の形態に関するセルフレジ用ＰＯＳ端末システム６００の外観図である。セルフレジ用ＰＯＳ端末システム６００は、ＰＯＳ端末本体７００、自動入出金装置２００、自動入金装置３００及びかご置台７０１、７０２からなる。
【００７２】
ＰＯＳ端末本体７００は、セルフレジスタであることを除いて、第１の実施の形態で説明したＰＯＳ端末装置１とほぼ同様の機能を有する。このためＰＯＳ端末本体７００は、キーボード７１０と、登録された購入商品の購入代金である購入金額等を表示する顧客用表示部７３０と、レシートを発行するプリンタ７４０と、購入商品のバーコード等の商品識別コードを読み取る商品識別コード読取部としてのバーコードリーダ７５０を有する。バーコードリーダ７５０は、ＰＯＳ端末本体７００に固定されている。
【００７３】
自動入出金装置２００及び自動入金装置３００は、前記第２の実施の形態で説明した自動入出金装置２００及び自動入金装置３００と同じである。かご置台７０１及び７０２はＰＯＳ端末本体７００の両側に設けられ、かご置台７０１に載せた買い物かごから、かご置台７０２に載せた買い物かごへ商品を移動させながら、顧客が購入商品の登録処理するためにある。顧客が行う登録処理は、購入商品を固定のバーコードリーダ７５０に近づけることにより、購入商品に付されたバーコードを光学的に読み取ることにより行う。
【００７４】
第３の実施の形態に関するセルフレジ用ＰＯＳ端末システム６００の処理手順については、第２の実施の形態の説明のうち、レジ係を顧客に読み替えれば図１１で説明したシーケンス図と同じである。
【００７５】
以上第３の実施の形態によれば、セルフレジ用ＰＯＳ端末システム６００を設けたので、省力化の貢献できるＰＯＳ端末装置を提供することができる。
【符号の説明】
【００７６】
１      ＰＯＳ端末装置
２      自動入出金装置
１０    キーボード
２０    レジ係用表示部
３０    顧客用表示部
４０    プリンタ
５０    バーコードリーダ
２１    紙幣入金部
２２    紙幣出金部
２３    硬貨入金部
２４    硬貨出金部
２５    キャッシュボックス
【図１】
2011238117.tif 000003
【図２】
2011238117.tif 000004
【図３】
2011238117.tif 000005
【図４】
2011238117.tif 000006
【図５】
2011238117.tif 000007
【図６】
2011238117.tif 000008
【図７】
2011238117.tif 000009
【図８】
2011238117.tif 000010
【図９】
2011238117.tif 000011
【図１０】
2011238117.tif 000012
【図１１】
2011238117.tif 000013
【図１２】
2011238117.tif 000014
【図１３】
2011238117.tif 000015
【図１４】
2011238117.tif 000016